(57)【要約】      （修正有）【課題】簡単な構成により、既設の引き戸に対しても容易に取付可能であると共に、高精度の調整が不要である引き戸の連動装置を提供する。【解決手段】戸枠に設けられたガイドレール１２に沿って開閉方向に移動する複数枚の引き戸１３〜１５のための連動装置は、引き戸１３，１４の上端で閉鎖側の端部付近に設けられ、垂直軸の回りに回転可能に支持される二段式ギヤと、引き戸１３，１４に関連するガイドレールに長手方向に沿って設けられ、二段式ギヤ部の大径の第一のギヤ部と噛合する第一のラック歯を備える第一のラック部材と、引き戸１４，１５の上端で長手方向のほぼ全長に亘って延びるように取り付けられ、且つその引き戸１３，１４側に突出する側縁部が、二段式ギヤの小径の第二のギヤ部と噛合する第二のラック歯を備える第二のラック部材２２と、を備える。【選択図】図１
2016130415.tif 000002
【特許請求の範囲】
【請求項１】
戸枠に設けられたガイドレールに沿ってガイド部材により長手方向に摺動可能に支持される複数枚の引き戸の連動装置において、
閉鎖時に最も移動距離の少ない引き戸を除く第一の引き戸の上端で閉鎖側の端部付近に設けられ、垂直軸の回りに回転可能に支持される二段式ギヤと、
前記第一の引き戸に関連するガイドレールに長手方向に沿って設けられ、前記二段式ギヤ部の大径の第一のギヤ部と噛合する第一のラック歯を備える第一のラック部材と、
前記第一の引き戸に隣接する第二の引き戸の上端で長手方向のほぼ全長に亘って延びるように取り付けられ、且つその前記第一の引き戸側に突出する側縁部が、前記二段式ギヤの前記第一のギヤ部より小径であって、かつ前記第一のギヤ部とは異なる回転速度で連動する第二のギヤ部と噛合する第二のラック歯を備える第二のラック部材と
を備えており、
前記第一の引き戸が開閉されるとき、その移動に伴って前記第一のラック部材に対して前記二段式ギヤの第一のギヤ部が転動し、この二段式ギヤの回転に伴って、前記二段式ギヤの第二のギヤ部が第二のラック部材に対して転動すると共に、第二のラック部材を開閉方向に移動させ、その開閉方向への移動に伴って、第二の引き戸が開閉される、引き戸の連動装置。
【請求項２】
前記二段式ギヤが、前記ガイド部材に対して一体的に取り付けられている、請求項１に記載の引き戸の連動装置。
【請求項３】
前記第二のラック部材が、引き戸の上端面に当接して固定されるベース部と、前記ベース部から側方に向かって立ち上がる起伏部と、から構成されており、前記起伏部の側縁に第二のラック歯を備えている、請求項１または２に記載の引き戸の連動装置。
【請求項４】
各第一の引き戸に取り付けられる前記二段式ギヤに関して、前記第一のギヤ部と第二のギヤ部の歯数の比が、引き戸の全開時には、当該第一の引き戸及び隣接する第二の引き戸が完全に重なると共に、引き戸の閉鎖時には、当該第一の引き戸の開放側の端縁と隣接する第二の引き戸の閉鎖側の端縁のみが重なるように選定されている、請求項１から３の何れかに記載の引き戸の連動装置。
【請求項５】
ｎ枚の引き戸を備えており、
最も移動距離の大きい引き戸からｋ番目の引き戸に取り付けられる前記二段式ギヤに関して、前記第一のギヤ部と第二のギヤ部の歯数の比が、（ｎ＋１−ｋ）：１に選定されている、請求項１から４の何れかに記載の引き戸の連動装置。
【請求項６】
前記二段式ギヤは、前記第一のギヤ部と、第二のギヤ部との間に、互いの回転を伝達する状態と、遮断する状態とを切り替えることのできるクラッチ機構が設けられている
ことを特徴とする請求項１〜５のいずれか一項に記載の引き戸の連動装置。
【発明の詳細な説明】
【技術分野】
【０００１】
本発明は、開口部を構成する戸枠に開閉可能に支持された複数枚の引き戸から成る連動式引き戸に関し、特に各引き戸の端縁が互いに重なり合って開口部を閉鎖するように、各引き戸を互いに連動して開放位置と閉鎖位置との間を移動させる引き戸の連動装置に関するものである。
【背景技術】
【０００２】
従来、住宅の各室間の出入り口等の開口部を開閉するために連動式の引き戸が使用されることがある。
このような連動式の引き戸は、例えば開口部の上縁に沿って設けられたガイドレールに沿って走行する吊り車を含むランナー構造により支持される複数枚の引き戸から構成されている。
各引き戸は、それぞれガイドレールに沿って吊り車が走行して開口部の一側または両側に向かって移動することにより、開口部を開放し、または閉鎖する。
【０００３】
ここで、各引き戸は、開放状態では互いに完全に重なり合って、開口部を大きく開放すると共に、閉鎖状態では、各引き戸の端縁部分のみが重なり合うように互いにずれて位置することにより、開口部を閉鎖する。
その際、各引き戸は、好ましくは連動装置により、一枚の引き戸を開放方向または閉鎖方向に移動させることによって、他の引き戸がこれに連動し、それぞれ開放位置または閉鎖位置に向かって移動される。これにより、各引き戸を個別に開放位置または閉鎖位置に移動させることなく、一枚の引き戸を開放位置または閉鎖位置に移動させることによって、すべての引き戸が開放位置または閉鎖位置に移動され、開口部が開放されまたは閉鎖されることになる。
【０００４】
このような連動式引き戸における連動装置は、例えば特許文献１及び２に開示されている。
特許文献１には、引戸の上端面または下端面に取付けられ隣接する引戸に係合して連動開閉するためのものであって、引戸の戸厚よりも狭幅で引戸の開閉方向にわたる長尺状を呈し引戸の上端面または下端面に堀込して取付けられる堀込ベースと、堀込ベースの内部の端部に回転自在に設けられる複数のプーリと、複数のプーリの間に掛け渡される無端条体と、無端条体に固定され隣接する引戸に係合されるスライダとが一体組付けされる連動引戸ユニットが開示されている。
この連動引戸ユニットによれば、上吊り式の引戸、下戸車式の引戸及び外付け式の引戸にも適用可能なユニット化されることにより、汎用性が高く、安価であると共に、外部から連動機構が見えなくして、引戸の外観を損なわないようにした連動引き戸ユニットが提供される。
【０００５】
特許文献２には、家屋等の開口枠部の上枠または下枠に固定されたガイドレールに沿って移動可能に配される第一の引戸及びこれに隣接する第二の引戸のうちの前記第一の引戸に取り付けられ、前記第二の引戸に対する開閉装置に基づく当該第二の引戸の開閉移動に連動して前記第一の引戸を開閉移動させる引戸連動装置であって、前記第一の引戸に直接に取り付けられ、または前記ガイドレールに沿って移動可能なように、且つ前記第一の引戸の前記ガイドレールへの取付に伴って当該第一の引戸に取り付けられる基板と、この基板の前記第一の引戸の移動方向における両端部のそれぞれに回動自在に配設される調帯車と、これら調帯車間に巻回される調帯と、この調帯への止着が可能であって、前記第二の引戸との接続が可能で、且つその上下面を反転させて正面視右側に位置する引戸を前側にしたタイプから正面視左側に位置する引戸を前側にしたタイプにまたはこの逆にタイプ変更を可能にする伝達体とを備えてなることを特徴とする引戸連動装置が開示されている。
【０００６】
この引戸連動装置によれば、正面視右側に位置する引戸を前側にしたタイプの連動引戸にも、また正面視左側に位置する引戸を前側にしたタイプの連動引戸にも共用できるようにし、連動引戸の施工時に際しての利便性がよくなる。
【先行技術文献】
【特許文献】
【０００７】
【特許文献１】特開２００３−０８２９３３号公報
【特許文献２】特開２００７−２７０４４１号公報
【発明の概要】
【発明が解決しようとする課題】
【０００８】
特許文献１による連動引戸ユニットにおいては、一つの引戸の開閉移動を他の引戸に伝達するための手段としては、ベルト，ワイヤ等の無端条体が使用されている。また、特許文献２による引戸連動装置においては、第二の引戸の開閉移動を第一の引戸に伝達するために、調帯が使用されている。
これらの無端条帯または調帯は、確実に開閉移動を伝達するためには、それぞれ対応するプーリまたは調帯車に対して所定の張力をもって巻回されなければならない。このため、各引戸に対するプーリまたは調帯車の取付位置精度を高めると共に、引戸の開口部への取付の際に、所定の張力が得られるように、その取付位置を正確に調整する必要があり、引戸への取付作業が複雑になり、立て付けに特殊な技術と手間を要する。また、引戸の設置後に、無端条帯や調帯に弛みが発生した場合には、その調整が困難である。
【０００９】
また、特許文献１による連動引戸ユニット及び特許文献２による引戸連動装置においては、一つの引戸の開閉移動を他の引戸に伝達するための連動機構が引戸内に配置されているため、各引戸に対する加工作業が必要であると共に、引戸の構造によっては、連動機構を組み込むことができないこともあり、既設の引戸に連動機構を組み込んで連動式にすることは困難であった。
【００１０】
本発明は、以上の点に鑑み、簡単な構成により、既設の引き戸に対しても容易に取付可能であると共に、高精度の調整が不要である、引き戸の連動装置を提供することを目的としている。
【課題を解決するための手段】
【００１１】
上記目的は、本発明の構成によれば、戸枠に設けられたガイドレールに沿ってガイド部材により長手方向に摺動可能に支持される複数枚の引き戸の連動装置において、閉鎖時に最も移動距離の少ない引き戸を除く第一の引き戸の上端で閉鎖側の端部付近に設けられ、垂直軸の回りに回転可能に支持される二段式ギヤと、第一の引き戸に関連するガイドレールに長手方向に沿って設けられ、二段式ギヤ部の大径の第一のギヤ部と噛合する第一のラック歯を備える第一のラック部材と、第一の引き戸に隣接する第二の引き戸の上端で長手方向のほぼ全長に亘って延びるように取り付けられ、且つその第一の引き戸側に突出する側縁部が、二段式ギヤの前記第一のギヤ部より小径であって、かつ前記第一のギヤ部とは異なる回転速度で連動する第二のギヤ部と噛合する第二のラック歯を備える第二のラック部材とを備えており、第一の引き戸が開閉されるとき、その移動に伴って第一のラック部材に対して二段式ギヤの第一のギヤ部が転動し、この二段式ギヤの回転に伴って、二段式ギヤの第二のギヤ部が第二のラック部材に対して転動すると共に、第二のラック部材を開閉方向に移動させ、その開閉方向への移動に伴って、第二の引き戸が開閉される、引き戸の連動装置により、達成される。
【００１２】
上記構成によれば、第一の引き戸に対して回転可能に設けられた二段式ギヤが、第一のギヤ部がガイドレールに設けられた第一のラック部材と、また第二のギヤ部が第二の引き戸の上縁に沿って取り付けられた第二のラック部材と、噛合している。
このため、第一の引き戸が開閉されると、第一の引き戸の開閉移動に伴って、第一のギヤ部と第一のラック部材の第一のラック歯との噛合により、第二のギヤ部が第二のラック部材に対して転動して、二段式ギヤが回転する。この二段式ギヤの回転により、第一のギヤ部も同方向に回転する。
【００１３】
ここで、第一のギヤ部が第二のギヤ部より大径であり、第二のギヤ部の歯数が第一のギヤ部の歯数より少ないことから、第二のギヤ部は、第二のラック部材に対して回転すると共に、第二のラック部材を進行方向に対して移動させる。従って、第二の引き戸は、第二のラック部材と一体的に連動して開閉方向に移動する。
その際、第二の引き戸の開閉方向の移動量は、第二のラック部材の第二のラック歯に対する第二のギヤ部の転動量だけ、第一の引き戸の開閉方向の移動量より少なくなる。従って、二段式ギヤの第一のギヤ部と第二のギヤ部との歯数比を適宜に選定することによって、閉鎖時に、その閉鎖側の端縁のみが第一の引き戸の開放側の端縁と重なり合って、戸枠の開口部を閉鎖することになる。
【００１４】
また、引き戸の連動装置が、ガイド部材に取り付けられる二段式ギヤ、ガイドレールに沿って配置される第一のラック部材、そして引き戸の上面に取り付けられる第二のラック部材から構成されているので、既設の引き戸に対して、引き戸の連動装置を組み込んで、連動化することが容易に可能である。
さらに、従来の連動機構のような、無端条帯や調帯を使用せず、ラックとギヤによるラック機構を利用して引き戸の連動機能を実現しているので、取付位置等の正確な調整が不要となり、設置時や設置後の調整が容易に行なわれ得る。
【００１５】
本発明による引き戸の連動装置は、好ましくは、二段式ギヤがガイド部材に対して一体的に取り付けられている。
この構成によれば、ガイド部材を引き戸に取り付けることによって、同時に二段式ギヤも引き戸に対して取り付けることができるので、本引き戸の連動装置の引き戸への組み付けが容易に且つ短時間で行なわれ得る。
【００１６】
本発明による引き戸の連動装置は、好ましくは、第二のラック部材が、引き戸の上端面に当接して固定されるベース部と、ベース部から側方に向かって立ち上がる起伏部と、から構成されており、起伏部の側縁に第二のラック歯を備えている。
この構成によれば、第二のラック部材は、単純な形状であり、例えばプレス加工等により容易に且つ低コストで加工することができる。
【００１７】
本発明による引き戸の連動装置は、好ましくは、各第一の引き戸に取り付けられる二段式ギヤに関して、第一のギヤ部と第二のギヤ部の歯数の比が、引き戸の全開時には、当該第一の引き戸及び隣接する第二の引き戸が完全に重なると共に、引き戸の閉鎖時には、当該第一の引き戸の開放側の端縁と隣接する第二の引き戸の閉鎖側の端縁のみが重なるように選定されている。
本発明による引き戸の連動装置は、好ましくは、ｎ枚の引き戸を備えており、
最も移動距離の大きい引き戸からｋ番目の引き戸に取り付けられる二段式ギヤに関して、第一のギヤ部と第二のギヤ部の歯数の比が、（ｎ＋１−ｋ）：１に選定されている。
これらの構成によれば、第一のギヤ部と第二のギヤ部の歯数比を適宜に選定することによって、第一のギヤ部と第二のギヤ部の歯数比を適宜に選定することによって、第二の引き戸は、全開時には第一の引き戸の完全に重なり合うと共に、閉鎖時には、その閉鎖側の端縁のみが第一の引き戸の開放側の端縁と重なり合って、戸枠の開口部を閉鎖することになる。
本発明による引き戸の連動装置は、好ましくは、前記二段式ギヤは、前記第一のギヤ部と、第二のギヤ部との間に、互いの回転を伝達する状態と、遮断する状態とを切り替えることのできるクラッチ機構が設けられている。
【発明の効果】
【００１８】
このようにして、本発明によれば、簡単な構成により、既設の引き戸に対しても容易に取付可能であると共に、高精度の調整が不要であるようにした、引き戸の連動装置を提供することができる。
【図面の簡単な説明】
【００１９】
【図１】本発明による引き戸の連動装置の一実施形態を組み込んだ連動式引き戸の全体構成を示す概略斜視図である。
【図２】図１の連動式引き戸の第一の引き戸及び第二の引き戸に組み込まれた引き戸の連動装置の構成を示す概略斜視図である。
【図３】図１の連動式引き戸の第二の引き戸及び第三の引き戸に組み込まれた引き戸の連動装置の構成を示す概略斜視図である。
【図４】図２の引き戸の連動装置における二段式ギヤの構成を拡大して示す（Ａ）側面図，（Ｂ）底面図及び（Ｃ）斜視図である。
【図５】図３の引き戸の連動装置における二段式ギヤの構成を拡大して示す（Ａ）側面図，（Ｂ）底面図及び（Ｃ）斜視図である。
【図６】図２及び図３に示した引き戸の連動装置における第一のラック部材の構成を示す（Ａ）斜視図及び（Ｂ）平面図である。
【図７】図２及び図３に示した引き戸の連動装置における第二のラック部材の構成を示す斜視図である。
【図８】図７に示した第二のラック部材の構成を示す平面図である。
【図９】図１の連動式引き戸における全開時の要部を示す部分拡大断面図である。
【図１０】図１の連動式引き戸における全開時の要部を示す平面図である。
【図１１】図１０に示す全開時の各引き戸における第一及び第二のラック部材と二段式ギヤとの関係を示す下方から見た説明図である。
【図１２】図１の連動式引き戸における全体構成を示す（Ａ）全開時及び（Ｂ）閉鎖時の各状態を示す概略平面図である。
【発明を実施するための形態】
【００２０】
図１は、本発明による引き戸の連動装置の一実施形態を連動式引き戸に組み込んだ状態を示している。
図１において、連動式引き戸１０は、建物等に設けられた開口部の戸枠１１の上縁に設けられた複数本のガイドレール１２に沿って長手方向（Ｘ方向）に移動可能に支持された複数枚（図示の場合、三枚）の引き戸（戸板）１３〜１５を有している。
各引き戸１３〜１５は、その上縁両端付近に取り付けられたガイド部材１６がそれぞれ対応するガイドレール１２に沿って走行することにより、ガイドレール１２に沿って開閉方向（Ｘ方向）に移動する。
【００２１】
ここで、全開時には、引き戸１３〜１５は、それぞれその開放方向側の端縁が戸枠１１の開口部における開放方向側の端縁と重なり合うことによって、戸枠１１の開口部を開放する。
【００２２】
これに対して、閉鎖時には、第一の引き戸１３は、戸枠１１の閉鎖方向端部まで移動して戸枠１１の開口部における閉鎖方向側の端面に当接することにより、戸枠１１の開口部の閉鎖方向側を閉鎖する。  
また、第二の引き戸１４は、戸枠１１の閉鎖方向途中まで移動して、閉鎖方向側の端縁が第一の引き戸１３の開放方向側の端縁と重なり合い、さらに、第三の引き戸１５は、同様に戸枠１１の閉鎖方向途中まで移動して、閉鎖方向側の端縁が第二の引き戸１４の開放方向側の端縁と重なり合い、且つ開放方向側の端縁が戸枠１１の開放方向側の端縁と重なり合うことにより、戸枠１１の開口部の開放方向側を閉鎖する。
これにより、第一の引き戸１３，第二の引き戸１４及び第三の引き戸１５が戸枠１１の開口部を全閉する。
【００２３】
各ガイドレール１２は、公知の構成であって、図９に示すように、断面が中空の四角形として例えば長尺のアルミニウム材から構成されており、Ｚ方向下方が開放していると共に、開閉方向に垂直な横方向（Ｙ方向）の両側の下縁がそれぞれ内側に折り曲げられており、その折り曲げられた部分の上面がレール部１２ａを画成している。
そして、各ガイドレール１２は、戸枠１１の上端面において、図１に示すように、少なくともそれぞれ対応する引き戸１３〜１５の開閉時における移動範囲に亘って長手方向（Ｘ方向）に延びるように配置されている。
【００２４】
ガイド部材１６は、それぞれ公知の構成であって、例えば図２及び図３に詳細に示すように、引き戸１３の上縁両端付近にて引き戸１３〜１５の上縁に設けられた凹陥部１３ａ，１４ａ及び１５ａ内に取り付けられる本体１６ａと、本体１６ａの上端から軸部１６ｂを介して上方に連結される支持部１６ｃに回転可能にＸ方向に隔置して取り付けられる二対の車輪１６ｄと、から構成されている。
支持部１６ｃは、軸部１６ｂの上端からＸ方向両側に向かって延びている。
【００２５】
車輪１６ｄは、図９に示すように、支持部１６ｃのＸ方向両側に延びる部分で、Ｙ方向両側に配置されている。
車輪１６ｄの回転軸は、ガイドレール１２内の両側に延びるように、支持部１６ｃをＹ方向に貫通して配置されており、車輪１６ｄが、それぞれガイドレール１２内で対応するレール部１２ａに乗ることにより、引き戸１３〜１５の開閉に伴ってレール部１２ａ上を転動する。これにより、ガイド部材１６そして引き戸１３〜１５が円滑に開閉方向に移動するようになっている。
【００２６】
以上の構成は、従来の連動式引き戸と同様の構成であるが、図１に示した連動式引き戸１０においては、さらに引き戸の連動装置２０が備えられている。
引き戸の連動装置２０は、最も閉鎖側、即ち閉鎖時に最も移動距離の少ない引き戸１５を除く他の引き戸１３及び１４に設けられた一対のガイド部材１６のうち、引き戸開放方向側に設けられたガイド部材１６に備えられた二段式ギヤと、引き戸１３及び１４に対応するガイドレール１２内に設けられた第一のラック部材２１と、隣接する引き戸１４及び１５の上縁に設けられた第二のラック部材２２と、から構成されている。
【００２７】
二段式ギヤは、図２に示した第一の引き戸１３に関連して設けられるものと、図３に示した第二の引き戸１４に関連して設けられるものでは、異なる構成になっている。
図４は、第一の引き戸１３に関連する二段式ギヤ２３の構成を示している。
図４において、二段式ギヤ２３は、上側に設けられた大径の第一のギヤ部２３ａと、下側に設けられた小径の第二のギヤ部２３ｂと、中心軸部２３ｃと、から成り、第一のギヤ部２３ａと第二のギヤ部２３ｂは、同軸に形成されている。第一のギヤ部２３ａと、第二のギヤ部２３ｂとの間には、互いの回転を伝達するクラッチ機構が設けられており、互いの回転が連動する機構となっている。なお、第二のギヤ部２３ｂは、第一のギヤ部２３ａとは異なる回転速度となるように、クラッチ機構の伝達は設定されている。
二段式ギヤ２３の中心軸部２３ｃには、同心の貫通孔２３ｄが形成されており、この貫通孔２３ｄ内に、関連するガイド部材１６の軸部１６ｂが挿通される。これにより、二段式ギヤ２３は、ガイド部材１６の軸部１６ｂに対して中心軸の周りに回転可能に支持されている。
【００２８】
ここで、図示の場合、第一のギヤ部２３ａは、３６枚の歯を有しており、これに対して第二のギヤ部２３ｂは、１２枚の歯を有しており、歯数比が３：１である。
【００２９】
これに対して、図５は、第二の引き戸１４に関連する二段式ギヤ２４の構成を示している。
図５において、二段式ギヤ２４は、前述した二段式ギヤ２３とほぼ同様の構成であり、第一のギヤ部２４ａが２４枚の歯を有しており、歯数比が２：１である点でのみ異なる構成になっている。
【００３０】
各第一のラック部材２１は、図６に示すように、長手方向に整列した第一のラック歯２１ａを有している。
ここで、第一のラック歯２１ａは、図９に示すように、引き戸１３及び１４に関連するガイドレール１２の下側にて、それぞれガイド部材１６に支持された二段式ギヤ２３及び２４の第一のギヤ部２３ａ及び２４ａと噛合するように、側方（Ｙ方向）に配置されている。
そして、第一のラック部材２１は、対応するガイドレール１２に関して、少なくともそれぞれ引き戸１３及び１４の開放方向側のガイド部材１６の移動範囲に亘って長手方向（Ｘ方向）に延びるように配置されている。
尚、第一のラック歯２１ａは、前述した二段式ギヤ２３及び２４の第一のギヤ部２３ａ及び２４ａの歯と同じピッチを有している。
【００３１】
第二のラック部材２２は、図７及び図８に示すように、全体として長手方向に延びる長尺の部材として構成されており、長手方向に延びるベース部２２ａと、ベース部２２ａの一側の側縁から斜めに立ち上がる起伏部２２ｂと、起伏部２２ｂの一側の側縁からほぼ水平に延びる第二のラック歯２２ｃと、を備えている。なお、起伏部２２ｂは、本実施形態においては斜めに立ち上がる形状に形成されているが、例えば段差を有するようにして立ちあがるように形成されていても良い。
ベース部２２ａは、閉鎖時に最も移動距離の大きい引き戸１３を除く他の引き戸１４及びの上面に対して、取付ネジ（図示せず）により固定されている。
起伏部２２ｂは、図９に示すように、ベース部２２ａの一側（図９にて左側）の側縁から斜め上方に向かって立ち上がるように形成されており、その先端は隣接する引き戸１３及び１４に向かって延びている。
第二のラック歯２２ｃは、図９に示すように、起伏部２２ｂの先端から水平方向に隣接する引き戸１３及び１４の上方まで延びており、組付け時には、それぞれ隣接する引き戸１３及び１４に関連する二段式ギヤ２３及び２４の第二のギヤ部２３ｂ及び２４ｂと噛合する。
【００３２】
ここで、第二のラック部材２２は、例えば金属板からプレス成形等により、容易に加工され得る。
そして、第二のラック部材２２は、引き戸１３〜１５の上端面の長手方向ほぼ全長に亘って配置されている。
尚、第二のラック歯２２ａは、前述した二段式ギヤ２３及び２４の第二のギヤ部２３ｂ及び２４ｂの歯と同じピッチ、そして好ましくは二段式ギヤ２３及び２４の第一のギヤ部２３ａ及び２４ａと同じピッチを有している。
【００３３】
ここで、全開時には、各引き戸１３〜１５は、図１０に示すように、長手方向に関して戸枠の開放方向側にて、互いに完全に重なり合っている。
このとき、図１１に示すように、引き戸１３に関連する二段式ギヤ２３は、引き戸１４に設けられた第二のラック部材２２の第二のラック歯２２ａに対して、開放方向側の端部付近で噛合しており、及び引き戸１４に関連する二段式ギヤ２４は、引き戸１４に設けられた第二のラック部材２２の第二のラック歯２２ａに対して、同様に開放方向側の端部付近で噛合している。
【００３４】
本発明による引き戸の連動装置２０を備えた連動式引き戸１０は、以上のように構成されており、以下のように動作する。
まず、全開時においては、図１２（Ａ）に示すように、各引き戸１３〜１５は、その開放方向側の端縁が、それぞれ戸枠１１の開放方向側の戸袋内の端部１１ａに当接すると共に、その閉鎖方向側の端縁が、戸枠１１の開放方向側の開口部を画成する端縁１１ｂと互いに重なり合っている。
【００３５】
次に、連動式引き戸１０の閉鎖時の動作について説明する。
まず、引き戸１３〜１５が図１２（Ａ）に示すように開放位置にある全開状態から、第一の引き戸１３が閉鎖方向（矢印Ｘ１方向）に向かって手動により移動されると、この第一の引き戸１３の移動に伴って、第一の引き戸１３に関連する二段式ギヤ２３の第一のギヤ部２３ａが、固定配置されている第一のラック部材２１の第一のラック歯２１ａと噛合しながら転動することにより、二段式ギヤ２３が回転する。
【００３６】
この二段式ギヤ２３の回転により、第二のギヤ部２３ｂは、第二の引き戸１４に関連する第二のラック部材２２の第二のラック歯２２ｃ上を転動する。
このとき、二段式ギヤ２３の第一のギヤ部２３ａが第二のギヤ部２３ｂより大径で、歯数が多いことから、第二のギヤ部２３ｂは、第二のラック歯２２ｃ上を転動しつつ、第二のラック歯２２ｃを閉鎖方向（矢印Ｘ１方向）に移動させる。従って、第二の引き戸１４は、第二のラック部材２２と共に、矢印Ｘ１で示す閉鎖方向に移動することになる。
【００３７】
より詳細には、二段式ギヤ２３の第一のギヤ部２３ａと第二のギヤ部２３ｂの歯数比が３：１であることから、二段式ギヤ２３の閉鎖方向（矢印Ｘ１方向）の移動量に対して、第二のラック２２の二段式ギヤ２３に対する移動量は、相対的に閉鎖方向と逆向き（矢印Ｘ２方向）に１／３の移動量となる。
ところで、二段式ギヤ２３自体は、戸枠１１に対して引き戸１３と共に閉鎖方向（矢印Ｘ１方向）に移動しているので、第二のラック２２そして引き戸１４の戸枠１１に対する閉鎖方向への移動量は、その差分、即ち２／３となる。
【００３８】
このようにして、第二の引き戸１４が閉鎖方向（矢印Ｘ１方向）に移動されると、同様にして、この第二の引き戸１４の移動に伴って、第二の引き戸１４に関連する二段式ギヤ２４の第一のギヤ部２４ａが、第一のラック部材２１の第一のラック歯２１ａと噛合しながら転動して、二段式ギヤ２４が回転する。
この二段式ギヤ２４の回転により、二段式ギヤ２４の第二のギヤ部２４ｂは、第三の引き戸１５に関連する第二のラック部材２２の第二のラック歯２２ｃを転動する。
このとき、二段式ギヤ２４の第一のギヤ部２４ａが第二のギヤ部２４ｂより大径で、歯数が多いことから、第二のギヤ部２４ｂは、第二のラック歯２２ｃ上を転動しつつ、第二のラック歯２２ｃを閉鎖方向（矢印Ｘ１方向）に移動させる。従って、第三の引き戸１５は、第二のラック部材２２と共に、閉鎖方向（矢印Ｘ１方向）に移動することになる。
【００３９】
より詳細には、二段式ギヤ２４の第一のギヤ部２４ａと第二のギヤ部２４ｂの歯数比が２：１であることから、二段式ギヤ２４の閉鎖方向（矢印Ｘ１方向）の移動量に対して、第二のラック２２の二段式ギヤ２４に対する移動量は、相対的に閉鎖方向と逆向き（矢印Ｘ２方向）に１／２の移動量となる。
ところで、二段式ギヤ２４自体は、戸枠１１に対して引き戸１４と共に閉鎖方向に移動しているので、第二のラック２２そして引き戸１５の戸枠１１に対する閉鎖方向（矢印Ｘ１方向）への移動量は、その差分、即ち１／２となる。
かくして、引き戸１４の閉鎖方向への移動量が第一の引き戸１３の移動量の２／３であることから、引き戸１５の閉鎖方向（矢印Ｘ１方向）への移動量は、第一の引き戸１３の移動量の１／３となる。
【００４０】
そして、第一の引き戸１３が戸枠１１の閉鎖方向側の端面１１ｃに当接すると、図１２（Ｂ）に示すように、第一の引き戸１３は、戸枠１１の開口部の閉鎖方向側を閉鎖する。
同時に、第二の引き戸１４は、第一の引き戸１３の２／３の移動量で、戸枠１１の閉鎖方向途中まで移動する。これにより、第二の引き戸１４は、その閉鎖方向側の端縁が第一の引き戸１３の開放方向側の端縁と重なり合う。
さらに、第三の引き戸１５は、第一の引き戸１３の１／３の移動量で、戸枠１１の閉鎖方向途中まで移動する。これにより、第三の引き戸１５は、その閉鎖方向側の端縁が、第二の引き戸１４の開放方向側の端縁と重なり合うと共に、開放方向側の端縁が戸枠１１の開放方向側の開口部を画成する端縁１１ｂと重なり合うことにより、戸枠１１の開口部の開放方向側を閉鎖する。
このようにして、第一の引き戸１３，第二の引き戸１４及び第三の引き戸１５が図１２（Ｂ）に示すように、戸枠１１の開口部を全閉する。
【００４１】
次に、連動式引き戸１０の開放時の動作について説明する。
引き戸１３〜１５が図１２（Ｂ）に示すように共に閉鎖位置にある全閉状態から、第一の引き戸１３が開放方向（矢印Ｘ２方向）に向かって手動により移動されると、この第一の引き戸１３の移動に伴って、第一の引き戸１３に関連する二段式ギヤ２３の第一のギヤ部２３ａが、第一のラック部材２１の第一のラック歯２１ａと噛合しながら転動して、二段式ギヤ２３が閉鎖時とは逆方向に回転する。
この二段式ギヤ２３の回転により、二段式ギヤ２３の第二のギヤ部２３ｂは、第二の引き戸１４に関連する第二のラック部材２２の第二のラック歯２２ｃを転動する。
このとき、二段式ギヤ２３の第一のギヤ部２３ａが第二のギヤ部２３ｂより大径で、歯数が三倍であることから、第二のギヤ部２３ｂは、第二のラック歯２２ｃ上を転動しつつ、第二のラック歯２２ｃを開放方向（矢印Ｘ２方向）に移動させる。従って、第二の引き戸１４は、第二のラック部材２２と共に、第一の引き戸１３の移動量の２／３の移動量で閉鎖方向に移動する。
【００４２】
このようにして、第二の引き戸１４が開放方向（矢印Ｘ２方向）に移動されると、同様にして、この第二の引き戸１４の移動に伴って、第二の引き戸１４に関連する二段式ギヤ２４の第一のギヤ部２４ａが、第一のラック部材２１の第一のラック歯２１ａと噛合しながら転動して、二段式ギヤ２４が回転する。
この二段式ギヤ２４の回転により、二段式ギヤ２４の第二のギヤ部２４ｂは、第三の引き戸１５に関連する第二のラック部材２２の第二のラック歯２２ｃを転動する。
このとき、二段式ギヤ２４の第一のギヤ部２４ａが第二のギヤ部２４ｂより大径で、歯数が二倍であることから、第二のギヤ部２４ｂは、第二のラック歯２２ｃ上を転動しつつ、第二のラック歯２２ｃを開放方向（矢印Ｘ２方向）に移動させる。従って、第三の引き戸１５は、第二のラック部材２２と共に、第一の引き戸１３の移動量の１／３の移動量で開放方向に移動する。
また、第一のギヤ部２４ａと第二のギヤ部２４ｂとが、クラッチ機構を介して、互いの回転速度が異なるように設けられていることから、例えば、２枚の扉をずらした状態で施工したり、何らかの原因で２枚の扉がずれてしまったりした場合であっても、扉を移動させると、扉の位置関係が自動的に調整されるため、正しい位置関係に互いの扉を容易に修正することができるようになる。
【００４３】
そして、第一の引き戸１３が戸枠１１の開放方向側の端面１１ａに当接すると、図１２（Ａ）に示すように、同時に、引き戸１４及び１５も、それぞれ戸枠１１の開口部の開放方向側の端面１１ａに当接して、戸枠１１の開口部を閉鎖する。
【００４４】
本発明はその趣旨を逸脱しない範囲において様々な形態で実施することができる。
例えば、上述した実施形態においては、連動式引き戸の開閉の際に、第一の引き戸１３が手動で開放方向または閉鎖方向に移動されることにより、他の引き戸１４及び１５が連動して開放方向または閉鎖方向に移動するが、これに限らず、第一の引き戸１３以外の他の引き戸１４または１５が手動で開放方向または閉鎖方向に移動されてもよい。
この場合、他の引き戸１４または１５に連動して、第一の引き戸１３または他の引き戸１５または１４が連動して開放方向または閉鎖方向に移動され得る。
【００４５】
上述した実施形態においては、二段式ギヤ２３の第一のギヤ部２３ａが３６枚の歯を、また第二のギヤ部２３ｂが１２枚の歯を有し、二段式ギヤ２４の第一のギヤ部２４ａが２４枚の歯を、第二のギヤ部２４ｂが１２枚の歯を有しているが、これに限らず、二段式ギヤ２３及び２４は、それぞれ端数比が３：１及び２：１であれば、他の歯数を有していてもよい。
【００４６】
上述した実施形態においては、連動式引き戸１０は、三枚の引き戸１３〜１５から構成されているが、二枚または四枚以上の引き戸から構成されていてもよい。
このような構成において、ｎ枚の引き戸から構成された連動式引き戸では、開放側の引き戸から順に、二段式ギヤの第一のギヤ部と第二のギヤ部との歯数比は、それぞれｎ：１，（ｎ−１）：１，（ｎ−２）：１，・・・，２：１に選定される。即ち、開放側からｋ番目の引き戸における二段式ギヤの第一のギヤ部と第二のギヤ部との歯数比は、（ｎ＋１−ｋ）：１に選定される。
例えば四枚の引き戸から構成されている場合には、開放側から順に、二段式ギヤの第一のギヤ部と第二のギヤ部との歯数比は、それぞれ４：１，３：１そして２：１に選定される。
【００４７】
以上述べたように、本発明によれば、簡単な構成により、既設の引き戸に対しても容易に取付可能であると共に、高精度の調整が不要である、極めて優れた引き戸の連動装置が提供される。また、引き戸の枚数が増えた場合であっても、ギアの比率を調整することで、容易に連動機構を実現することができるようになる。
【符号の説明】
【００４８】
１０    連動式引き戸
１１    戸枠
１２    ガイドレール
１２ａ  レール部
１３，１４，１５    引き戸
１６    ガイド部材
１６ｂ  軸部
１６ｄ  車輪
２０    引き戸の連動装置
２１    第一のラック部材
２１ａ  第一のラック歯
２２    第二のラック部材
２２ｃ  第二のラック歯
２３，２４    二段式ギヤ
２３ａ，２４ａ  第一のギヤ部
２３ｂ，２４ｂ  第二のギヤ部
【図１】
2016130415.tif 000003
【図２】
2016130415.tif 000004
【図３】
2016130415.tif 000005
【図４】
2016130415.tif 000006
【図５】
2016130415.tif 000007
【図６】
2016130415.tif 000008
【図７】
2016130415.tif 000009
【図８】
2016130415.tif 000010
【図９】
2016130415.tif 000011
【図１０】
2016130415.tif 000012
【図１１】
2016130415.tif 000013
【図１２】
2016130415.tif 000014